(57)【要約】      （修正有）【課題】ブレスレット、ネックレス及び他の装着可能品又は装飾品のようなブルニアン絡み目品を作るキットを提供する。【解決手段】織機２６、フック２８、複数のクリップ３２及び複数の弾性バンド３０を含む。織機は基部３４を含み、基部は上方に延びる複数のピン４２を支持する。ピンはそれぞれ弾性バンドを所望配向に保持するつば部４６を含み、ピン４２はそれぞれ上表面及びつば部を貫通するアクセス溝４８を含む。アクセス溝は、つば部を貫通し、フックに対して上表面を通るアクセスを与える。フックは、下の弾性バンドを把持し、かつ、これを隣接ピンに支持された上の弾性バンドを通るように引っ張る。アクセス溝は基部の外側を向いている。【選択図】図３
2015091300.tif 000002
【特許請求の範囲】
【請求項１】
複数の閉ループから絡み目品を作る織機であって、
内側空間、上表面及び外周部を画定する基部と、
前記基部の外周部まわりに配置された複数のピンと
を含み、
前記複数のピンはそれぞれ、
弾性バンドを所定位置に保持するつば部と、
前記ピンに沿って前記つば部を貫通し、かつ、前記基部の外周部の中に延びるアクセス溝と
を含む織機。
【請求項２】
前記アクセス溝はそれぞれ、前記基部の外周部まわりにおいて外側に開口する、請求項１に記載の織機。
【請求項３】
前記織機は、それぞれが前記複数のピンの第１の数量を含む第１側及び第２側を含み、前記織機はさらに、それぞれが前記第１の数量よりも少ない前記複数のピンの第２の数量を含む第１端及び第２端を含む、請求項２に記載の織機。
【請求項４】
前記第１の数量及び前記第２の数量は奇数を含む、請求項３に記載の織機。
【請求項５】
前記第１の数量は３つのピンを含み、かつ、前記第２の数量は一つのピンを含む、請求項３に記載の織機。
【請求項６】
前記第１側のピン及び前記第２側のピンはそれぞれ、前記内側空間を挟んで整列される、請求項３に記載の織機。
【請求項７】
前記第１端のピン及び前記第２端のピンはそれぞれ、前記内側空間を挟んで整列される、請求項３に記載の織機。
【請求項８】
前記内側空間の対向両側にあるピンそれぞれのアクセス溝は、反対方向に開口する、請求項３に記載の織機。
【請求項９】
前記複数のピンはそれぞれ、前記アクセス溝の反対側に、前記内側空間の中に突出する本体部分を含む、請求項１に記載の織機。
【請求項１０】
前記複数のピンはそれぞれ、前記基部から直立して延びる、請求項１に記載の織機。
【請求項１１】
前記基部の対向両端から外側に延びるタブを含む、請求項１に記載の織機。
【請求項１２】
絡み目品を作る方法であって、
複数の弾性バンドを少なくとも２つのピンにわたって引き伸ばすステップと、
前記少なくとも２つのピンの一つに支持された弾性バンドの一部分を捉え、かつ、同じ２つのピンの少なくとも一方において、捉えられた前記弾性バンドの上方に支持されたもう一つの弾性バンドを超えるように前記弾性バンドを引っ張るステップと、
前記同じ２つのピンの少なくとも一方に追加の弾性バンドを加えるステップと、
前記少なくとも２つのピンの一つに支持された最下の弾性バンドの一部分を捉え、かつ、捉えられた前記弾性バンドを、前記ピンと前記複数のピンに支持された任意の他の弾性バンドとを超えるように引っ張るステップと
を含む方法。
【請求項１３】
少なくとも２つのピンにわたって引き伸ばすステップは、内部開放空間が分けるピンにわたって弾性バンドを引き伸ばすことを含む、請求項１２に記載の方法。
【請求項１４】
前記少なくとも２つのピンのそれぞれに形成されたつば部分によって、前記弾性バンドを前記複数のピンに保持するステップを含む、請求項１２に記載の方法。
【請求項１５】
内側空間を画定する基部の周囲まわりに配置された複数のピンの一部である少なくとも２つのピンを超えるように、複数の弾性バンドを引き伸ばすステップを含む、請求項１４に記載の方法。
【請求項１６】
前記弾性バンドの一部分を捉えるべく、前記少なくとも２つのピンのアクセス溝の中にフックを延ばすステップを含む、請求項１４に記載の方法。
【請求項１７】
複数の閉ループから絡み目品を作る織機であって、
内側空間、上表面及び外周部を画定する基部と、
前記基部の外周部まわりに配置された複数のピンと
を含み、
前記複数のピンはそれぞれ、前記ピンに沿って前記基部の外周部の中に延びるアクセス溝を含む織機。
【請求項１８】
前記アクセス溝はそれぞれ、前記基部の外周部まわりにおいて外側に開口する、請求項１７に記載の織機。
【請求項１９】
前記複数のピンのそれぞれの上表面に隣接するつば部を含み、
前記アクセス溝は前記上表面及び前記つば部を貫通する、請求項１７に記載の織機。
【請求項２０】
前記織機は、それぞれが前記複数のピンの第１の数量を含む第１側及び第２側を含み、
前記織機はさらに、それぞれが前記第１の数量よりも少ない前記複数のピンの第２の数量を含む第１端及び第２端を含む、請求項１８に記載の織機。
【請求項２１】
前記複数のピンはそれぞれ、前記基部から直立して延びる、請求項１７に記載の織機。
【請求項２２】
前記基部の対向両端から外側に延びるタブを含む、請求項１７に記載の織機。
【発明の詳細な説明】
【技術分野】
【０００１】
本開示は一般に、絡み目品を作る方法及び装置に関する。詳細には、本開示は、弾性バンドから装着可能な絡み目品を作る方法及び装置に関する。
【０００２】
関連出願の相互参照
本願は、２０１３年９月１３日出願の米国仮特許出願第６１／８７７，４９０号の優先権を主張する。
【背景技術】
【０００３】
独自の色のブレスレット又はネックレスを作るための材料を含むキットはいつも、ある程度の人気を得ている。しかしながら、かかるキットは通常、異なる色の糸及びビーズのような素材を含むのみであり、個人の技能及び才能に依存して有用かつ望ましい物品が構築される。
【０００４】
したがって、独自の装着可能品を作るための素材を与えるのみならず、技能及び芸術性が多数のレベルにある人々が、望ましくかつ耐久性のある装着可能品を上手に作ることを容易にする構築容易性も与えるキットが必要とされかつ望まれている。
【発明の概要】
【０００５】
ブルニアン絡み目は、二つ折りにされた閉ループがもう一つの閉ループを捉えて鎖をなすことに由来する絡み目から形成される。弾性バンドは、かかる絡み目を所望の態様で形成するべく利用することができる。一例の装置は、複合的な構成のブルニアン絡み目を使用して物品を作る手段を与える。さらに、一例の装置は、技能レベルにかかわらず独自の装着可能品を上手に作ることを可能にする装置を与える。
【０００６】
異なる例が、例示される特定のコンポーネントを有するが、本開示の実施形態はこれらの特定の組み合わせに限られない。これらの例の一つからの当該コンポーネント又は特徴のいくつかを、当該例のもう一つからの特徴又はコンポーネントと組み合わせて使用することができる。
【０００７】
以下の明細書及び図面から、ここに開示されるこれらの及び他の特徴を最もよく理解することができる。
【図面の簡単な説明】
【０００８】
【図１】一例の絡み目品の模式図である。
【図２】弾性バンドを利用してブルニアン絡み目から形成された一例の鎖の模式図である。
【図３】一例の織機を含む一例のキットの斜視図である。
【図４】一例の織機の上面図である。
【図５】一例の織機の側面図である。
【図６】一例の織機の下面図である。
【図７】一例の織機の端面図である。
【図８】図８Ａは、一例の織機によって絡み目品を作る方法ステップの模式図である。図８Ｂは、絡み目品を作るもう一つの方法ステップの模式図である。図８Ｃは、絡み目品を作るさらにもう一つの方法ステップの模式図である。
【図９】一例の織機による絡み目品形成の模式図である。
【発明を実施するための形態】
【０００９】
図１及び２を参照する。連続ループ構造物１４が、実際の結び目を形成することなく、ブルニアン絡み目１２を形成する。いくつかの絡み目１２が鎖２２をなしてブレスレットのような絡み目品を形成する。その後、両端が固定され、耐久性のある装着可能品１０が作られる。本例では、輪ゴムのような３つの閉ループ弾性バンド１４が一つの鎖２２を形成することが示される。一つの弾性バンド１４の、もう一つの弾性バンド１４の中央部分２０を捉える端１６が、それぞれの絡み目１２を形成する。それぞれの絡み目１２は、先行する及び後続する絡み目１４に依存して所望の絡み目品を維持する。
【００１０】
図３を参照する。ブレスレット及び他の装着可能品又は装飾品のようなブルニアン絡み目品を作る一例のキット２４は、織機２６、フック２８、複数のクリップ３２及び複数の弾性バンド３０を含む。織機２６は基部３４を含む。基部３４は、上方に延びる複数のピン４２を支持する。ピン４２はそれぞれ、弾性バンド３０を所望配向に保持するべく上表面４４（図７）に隣接するつば部４６を含む。ピン４２はそれぞれ、上表面４４及びつば部４６を貫通するアクセス溝４８を含む。アクセス溝４８は、つば部４６を貫通し、フック２８に対して上表面４４を通るアクセスを与える。フック２８は、下の弾性バンド３０を把持し、かつ、これを、隣接ピン４２に支持された上の弾性バンドを通るように引っ張る。アクセス溝４８は、基部３４の外側を向く。
【００１１】
続いて図３を参照するとともに、図４〜７も参照する。基部３４は一般に矩形であり、第１側５８、第２側６０、第１端６２及び第２端６４を備える。第１及び第２側５８、６０は第１の数量６８のピン４２を含み、及び、第１及び第２端は、第１の数量６８のピン４２よりも少ない第２の数量７０のピン４２を含む。一例では、第１の数量６８及び第２の数量７０はそれぞれ奇数である。本例では、第１及び第２側５８、６０それぞれの第１の数量６８のピン４２は３つのピンであり、及び、第１及び第２端６２、６４の第２の数量７０のピン４２は一つのピン４２である。ピン４２はそれぞれ、基部３４から上方に延びる。わかることだが、異なるパターンを得るべく各側面において異なる数のピンを利用することもできる。これは、本開示の想定内である。
【００１２】
基部３４は上表面５０及び壁３８を含む。壁３８の外周まわりに複数のピン４２がそれぞれ位置決めされる。アクセス溝４８は、各ピン４２の上表面４４を下方に貫通し、上表面５０の通過後、壁３８の中へ距離５２だけ入る。アクセス溝４８が基部３４の上表面５０の下方に延びることにより、フック２８は、上表面５０、及び複数のピン４２の一つに支持された最下の弾性バンド３０の下方の所定位置までアクセス溝４８に入ることができる。基部３４の上表面５０は、ピン４２に対してどれほど遠くまで弾性バンド３０を下方に押し込むことができるかを制限する。アクセス溝の上表面下方距離５２により、アクセス溝４８への、ひいては基部３４の表面５０に当接し得る最下の弾性バンド３０へのアクセスが容易になる。
【００１３】
アクセス溝４８はそれぞれ、基部３４の外周まわりにおいて、壁３８の外側を向く。したがって、第１側５８上のピン４２が第１方向に開口し、かつ、第２側６０上のピン４２が、第１方向とは反対の第２方向に開口する。第１端６２上のピン４２が第１端６２の外側に開口し、かつ、第２端６４上のピン４２が、第１端とは反対の方向である外側に開口する。
【００１４】
基部３４の壁３８が、内部空間３６を取り囲む。絡み目品の完了した部分は製作中、内部空間３６を通って延びることができる。第１側５８及び第２側６０それぞれのピン４２は、内部空間３６を挟んで互いに対して整列される。ピン４２はそれぞれ、アクセス溝４８の反対側に本体部分６６を含む。各ピン４２の本体部分６６は、内側空間３６内に突出する。基部３４はまた、第１及び第２端６２、６４それぞれから延びて絡み目品作成中の織機保持を支援するタブ部分５６を含む。
【００１５】
続いて図３〜７を参照するとともに、図８Ａ〜Ｃも参照する。アクセス溝４８によって、フック２８ツールは、最下の弾性バンド３０の一部分を把持及び捕捉することができる。一例の織機２６を利用して絡み目品を閉ループ弾性バンドから作る方法は、少なくとも２つのピン４２にわたって弾性バンド３０を組み付けることを含む。本例では、最上の弾性バンドが３０Ａとして示され、かつ、最下の弾性バンドが３０Ｂとして示される。弾性バンド３０を組み付けることは、複数のピン４２の少なくとも２つにわたって引き伸ばすことを含む。当該少なくとも２つのピン４２は、第１側５８、第２側６０、第１端６２及び第２端６４からのピン４２の任意の組み合わせであり得る。追加の弾性バンド３０が、ピン４２に組み付けられる。当該追加のバンドの少なくともいくつかは、同じピン４２に配置される。
【００１６】
下の弾性バンド３０Ｂの一部分が、アクセス溝４８（図８Ａ）の中に延ばされたフック２８を利用して捉えられる。捉えられたバンド３０Ｂはその後、同じピン４２（図８Ｂ）の弾性バンド３０Ａの少なくとも一つを超えて引っ張られる。留意すべきことだが、一つの上側弾性バンド３０Ａが記載されていても、所望の絡み目構造物を形成するべくいくつかの上側弾性バンドを設けることができる。その後、最下の弾性バンド３０Ｂは把持されて、上側弾性バンド３０Ａのすべてを超えて引っ張られる。この工程は、織機２６まわりの異なるピン４２によって繰り返される。追加の弾性バンド３０が加えられて工程が繰り返されることにより、所望の絡み目構造物が閉ループ弾性バンドから形成される。当該物品の、完成した又は絡み目が付けられた部分は、追加の絡み目が加えられて絡み目品が作られるにつれて、内部空間３６を通るように供給される。
【００１７】
織機２４を利用して絡み目品を作るもう一つの開示の方法は、少なくとも２つの隣接ピン４２にわたって複数の弾性バンド３０を引き伸ばすステップを含む。一例では、第１の又は下側の弾性バンド３０Ｂが、直接互いに向かい合う２つのピン４２間に引き伸ばされる。第２の又は上側の弾性バンド３０Ａがその後、各バンドの外周まわりに引き伸ばされ、先行して配置された下側弾性バンド３０Ｂの上に位置決めされる。各ピン４２の最下の弾性バンド３０Ｂが、アクセス溝４８を通るフック２８によって把持されて最上のバンド３０Ａを超えるように引っ張られる。この工程は、絡み目品の長さが、織機の基部３４の中にある開放空間３６を通って下方に延びるように繰り返される。ピン４２の上表面４４にあるつば部４６は、下側の弾性バンド３０Ｂが上側のバンド３０Ａを超えるように引き伸ばされるときに、上側の弾性バンド３０Ａを所定位置に保持する。この工程は、所望長さの絡み目品に到達するまで、さらなるバンドを加えることによって繰り返される。
【００１８】
図９を参照する。絡み目品が、所望パターンの連続的なブルニアン絡み目を作ることによって形成される。図９に例示されるように、所望パターンは、織機２６の内部空間３６を貫通する。ブルニアン絡み目を利用する異なるパターンを、所望の絡み目品を作るべく利用することができる。
【００１９】
したがって、一例の織機及び方法によって、ブレスレット、ネックレス及び他の装着可能品を作るべく、ブルニアン絡み目の多数の異なる組み合わせ及び構成を作ることができる。
【００２０】
一例の実施形態が開示されたが、当業者であれば、一定の修正例でも本開示の範囲内に収まることがわかる。それゆえ、本発明の範囲及び内容を決定するには、以下の特許請求の範囲を検討するべきである。
【図１】
2015091300.tif 000003
【図２】
2015091300.tif 000004
【図３】
2015091300.tif 000005
【図４】
2015091300.tif 000006
【図５】
2015091300.tif 000007
【図６】
2015091300.tif 000008
【図７】
2015091300.tif 000009
【図８】
2015091300.tif 000010
【図９】
2015091300.tif 000011
【外国語明細書】
2015091300.tif 000012
2015091300.tif 000013
2015091300.tif 000014
2015091300.tif 000015
2015091300.tif 000016
2015091300.tif 000017
2015091300.tif 000018
2015091300.tif 000019
2015091300.tif 000020
2015091300.tif 000021
2015091300.tif 000022
2015091300.tif 000023
2015091300.tif 000024
2015091300.tif 000025
2015091300.tif 000026
2015091300.tif 000027
2015091300.tif 000028
2015091300.tif 000029
2015091300.tif 000030
2015091300.tif 000031
2015091300.tif 000032